(57)【要約】【課題】代理応答者がメモ書きなどによって不在者に伝言を残すことを不要とすべく、簡単な操作で自動的に伝言メールを作成することである。【解決手段】内線電話利用者のメールアドレスと識別番号との対応表を格納するメモリと、内線電話機のキー入力部によって送出される内線電話利用者の識別番号を検出する検出回路と、内線電話利用者の識別番号を検出した場合に、前記メモリを参照して内線電話利用者のメールアドレスを取得し、当該メールアドレス宛てに伝言メールを送信するメール送信部とを有する伝言メール送信システムである。【選択図】図３
2008067185.tif 000002
【特許請求の範囲】
【請求項１】
内線電話利用者のメールアドレスと識別番号との対応表を格納するメモリと、
内線電話機のキー入力部によって送出される内線電話利用者の識別番号を検出する検出回路と、
内線電話利用者の識別番号を検出した場合に、前記メモリを参照して内線電話利用者のメールアドレスを取得し、当該メールアドレス宛てに伝言メールを送信するメール送信部と
を有する伝言メール送信システム。
【請求項２】
電話網から通知される発信者電話番号を抽出し、メモリに格納する発信者電話番号取得部を具備し、
前記メール送信部が、当該発信者電話番号をメモリから読み出して伝言メールに含める請求項１記載の伝言メール送信システム。
【請求項３】
内線電話機のキー入力部によって送出されるメール種別番号を検出する検出回路を具備し、
前記メール送信部が、検出されたメール種別番号に応じて所定の伝言メールを送信する請求項１又は２記載の伝言メール送信システム。
【請求項４】
前記内線電話機のキー入力部によって送出される内線電話利用者の識別番号を、発信側の電話機がオンフックされた後に検出するオンフック監視部を具備する請求項１〜３いずれか１項に記載の伝言メール送信システム。
【請求項５】
内線電話利用者のメールアドレスと識別番号との対応表をメモリに格納するステップと、
内線電話機のキー入力部によって送出される内線電話利用者の識別番号を検出するステップと、
内線電話利用者の識別番号を検出した場合に、前記メモリを参照して内線電話利用者のメールアドレスを取得し、当該メールアドレス宛てに伝言メールを送信するステップと
を有する伝言メール送信方法。
【請求項６】
電話網から通知される発信者電話番号を抽出し、メモリに格納するステップを具備すると共に、
前記伝言メールを送信するステップが、当該発信者電話番号をメモリから読み出して伝言メールに含めるステップを有する請求項５記載の伝言メール送信方法。
【請求項７】
内線電話機のキー入力部によって送出されるメール種別番号を検出するステップを具備すると共に、
前記伝言メールを送信するステップが、検出されたメール種別番号に応じて所定の伝言メールを送信するステップを有する請求項５又は６記載の伝言メール送信方法。
【請求項８】
前記内線電話機のキー入力部によって送出される内線電話利用者の識別番号を、発信側の電話機がオンフックされた後に検出するステップを具備する請求項５〜７いずれか１項に記載の伝言メール送信方法。
【請求項９】
コンピュータに、
内線電話利用者のメールアドレスと識別番号との対応表をメモリに格納する手順と、
内線電話機のキー入力部によって送出される内線電話利用者の識別番号を検出する手順と、
内線電話利用者の識別番号を検出した場合に、前記メモリを参照して内線電話利用者のメールアドレスを取得し、当該メールアドレス宛てに伝言メールを送信する手順と
を実行させるためのプログラム。
【請求項１０】
電話網から通知される発信者電話番号を抽出し、メモリに格納する手順を実行させると共に、
前記伝言メールを送信する手順が、当該発信者電話番号をメモリから読み出して伝言メールに含める手順を有する請求項９記載のプログラム。
【請求項１１】
内線電話機のキー入力部によって送出されるメール種別番号を検出する手順を実行させると共に、
前記伝言メールを送信する手順が、検出されたメール種別番号に応じて所定の伝言メールを送信する手順を有する請求項９又は１０記載のプログラム。
【請求項１２】
前記内線電話機のキー入力部によって送出される内線電話利用者の識別番号を、発信側の電話機がオンフックされた後に検出する手順を実行させる請求項９〜１１いずれか１項に記載のプログラム。
【請求項１３】
ＩＰ電話網と接続されるＷＡＮインターフェース回路と、ＰＢＸと接続されると共に、内線電話機のキー入力部によって送出される内線電話利用者の識別番号を検出する検出回路を具備するＰＢＸインターフェース回路と、内線電話利用者のメールアドレスと識別番号との対応表を格納するメモリと、内線電話利用者の識別番号を検出した場合に、前記メモリを参照して内線電話利用者のメールアドレスを取得し、当該メールアドレス宛てに所定の伝言メールを送信するメール送信部とを有するＩＰ電話アダプタ。
【発明の詳細な説明】
【技術分野】
【０００１】
本発明は、伝言メール送信システム、伝言メール送信方法、プログラム及びＩＰ電話アダプタに関する。
【背景技術】
【０００２】
事務所に設置されるＰＢＸには、１０台、１００台といった多数の内線電話機が収容される。ＰＢＸに着信があったとき、内線電話機を利用する担当者が不在であれば、一般的には、メモ書きによって不在の担当者宛てにメッセージを残す。電話は即時的で、メッセージを残すという機能が無いため、紙を媒介とするのである。一方、近年普及した電子メールには、在席、不在に関わらず、担当者のメールボックス宛てに、メッセージを残すという機能がある。そこで、この電子メールを使って、不在の担当者宛てにメッセージを送ろうとするさまざまな技術が提案されている。
【０００３】
特開２００２−１１１８７４号公報（特許文献１参照）には、不在者への着呼があった旨の連絡について人的負担を軽減するＣＴＩシステムの発明が開示されている。当該発明は、不在者へ向けて発呼があった場合、顧客の電話番号を表す電話番号と、顧客の担当者のメールアドレスとを有する顧客データを用いて、発信者番号から担当者のメールアドレスを検索し、不在の担当者宛てに電子メールを作成し送信するものである。
【０００４】
特開２００１−２６８２４６号公報（特許文献２参照）には、メールシステム装置内の不在者の内線の電話機へ着信した電話着信の通知を前記内線の電話機の不在者が携帯するメール機能付き携帯端末にメールとして転送する際に前記メールシステム装置に接続されたインターネットを経由して携帯網のメールサーバに送出する電話着信通知システムにおける電話着信通知方法の発明などが開示されている。
【０００５】
特開２００１−３２６７３８号公報（特許文献３参照）には、外線と接続すると共に、複数の内線電話機を収容接続するボタン電話装置であって、前記内線電話機の内線番号毎にメールアドレスを記憶したメールアドレス蓄積部と、前記内線電話機への外線着信を検出すると、この外線着信に対応する発信者番号を検出する発信者番号検出部と、前記発信者番号に対応した発信者名を記憶した発信者名蓄積部と、前記外線着信対象の内線電話機の不応答を検出する内線電話応答検出部と、前記内線電話応答検出部にて不応答を検出すると、前記発信者番号検出部にて外線着信に対応した発信者番号を検出し、この発信者番号に対応した発信者名を前記発信者名蓄積部から取得すると共に、前記外線着信対象の内線電話機の内線番号に対応したメールアドレスを前記メールアドレス蓄積部から取得するデータ取得部と、前記データ取得部にて取得したメールアドレスに基づいて、前記データ取得部にて取得した発信者名、発信者番号及び着信日時を電子メールで通知するメール通知部とを有するボタン電話装置の発明が開示されている。
【０００６】
特開２００４−１７９６９７号公報（特許文献４参照）には、電話の発信者に関する情報を抽出する発信者情報抽出工程と、前記発信者に本来対応すべき担当者が前記発信者からの電話について指定している対応方法にもとづいてウィンドウの背景色を決定する背景色決定工程と、前記発信者情報抽出工程で抽出された情報を前記背景色決定工程で決定された背景色のウィンドウに表示する表示工程とを含んだ情報処理方法の発明が開示されている。
【０００７】
特許文献１や特許文献３は、発信者電話番号に一致する担当者のメールアドレスに電子メールを送信する発明であるが、発信者電話番号と担当者のメールアドレスを予め作成する必要がある。また、発信者電話番号に対応する担当者が登録されていない場合、電子メールは送信されない。また、１つの発信者電話番号に対し複数の担当者がいる場合、適切な担当者に電子メールが送信することが出来ない。
【０００８】
【特許文献１】特開２００２−１１１８７４号公報
【特許文献２】特開２００１−２６８２４６号公報
【特許文献３】特開２００１−３２６７３８号公報
【特許文献４】特開２００４−１７９６９７号公報
【発明の開示】
【発明が解決しようとする課題】
【０００９】
本発明の目的は、簡単な操作で自動的に伝言メールを作成できる伝言メール送信システム、伝言メール送信方法、プログラム及びＩＰ電話アダプタを提供することである。
また、本発明の他の目的は、内線電話機の操作だけで伝言メールを自動的に作成することである。本発明のその他の目的は、一般着信の場合でも、自動的に伝言メールを作成することである。本発明の他の目的は、着信側の内線電話機から送出されるＤＴＭＦ信号を、音声信号として発信者側に伝わらせずに、ＤＴＭＦ信号を利用して伝言メールを作成することである。本発明のその他の目的は、既設のＰＢＸやボタン電話装置を利用したまま不在者へ伝言メールを自動的に送信することである。
【００１０】
また、本発明の他の目的は、発信者電話番号が変更されても伝言メールのメールアドレスを検索することである。本発明のその他の目的は、発信者電話番号に対応した担当者を登録しなくても伝言メールを送信することである。本発明の他の目的は、１つの発信者電話番号に対し複数の担当者がいる場合でも、不在の担当者に伝言メールを送信することである。
【課題を解決するための手段】
【００１１】
以下に、［発明を実施するための最良の形態］で使用される番号・符号を用いて、［課
題を解決するための手段］を説明する。これらの番号・符号は、［特許請求の範囲］の記
載と［発明を実施するための最良の形態］との対応関係を明らかにするために括弧付きで
付加されたものである。ただし、それらの番号・符号を、［特許請求の範囲］に記載され
ている発明の技術的範囲の解釈に用いてはならない。
【００１２】
本発明による伝言メール送信システムは、内線電話利用者のメールアドレスと識別番号との対応表を格納するメモリ（１２）と、内線電話機のキー入力部によって送出される内線電話利用者の識別番号を検出する検出回路（２５）と、内線電話利用者の識別番号を検出した場合に、メモリ（１２）を参照して内線電話利用者のメールアドレスを取得し、当該メールアドレス宛てに伝言メールを送信するメール送信部とを有する。
【００１３】
また、本発明による伝言メール送信システムは、電話網から通知される発信者電話番号を抽出し、メモリ（１２）に格納する発信者電話番号取得部を具備し、前記メール送信部が、当該発信者電話番号をメモリ（１２）から読み出して伝言メールに含める。
【００１４】
また、本発明による伝言メール送信システムは、内線電話機のキー入力部によって送出されるメール種別番号を検出する検出回路（２５）を具備し、前記メール送信部が、検出されたメール種別番号に応じて所定の伝言メールを送信する。
【００１５】
また、本発明による伝言メール送信システムは、前記内線電話機のキー入力部によって送出される内線電話利用者の識別番号を、発信側の電話機がオンフックされた後に検出するオンフック監視部を具備する。
【００１６】
また、本発明による伝言メール送信方法は、内線電話利用者のメールアドレスと識別番号との対応表をメモリに格納するステップと、内線電話機のキー入力部によって送出される内線電話利用者の識別番号を検出するステップ（Ｓ２４）と、内線電話利用者の識別番号を検出した場合に、メモリを参照して内線電話利用者のメールアドレスを取得し、当該メールアドレス宛てに伝言メールを送信するステップ（Ｓ２８）とを有する。
【００１７】
また、本発明による伝言メール送信方法は、電話網から通知される発信者電話番号を抽出し、メモリに格納するステップ（Ｓ０２）を具備すると共に、伝言メールを送信するステップ（Ｓ２８）が、当該発信者電話番号をメモリから読み出して伝言メールに含めるステップ（Ｓ２７）を有する。
【００１８】
また、本発明による伝言メール送信方法は、内線電話機のキー入力部によって送出されるメール種別番号を検出するステップ（Ｓ４４）を具備すると共に、伝言メールを送信するステップ（Ｓ５０）が、検出されたメール種別番号に応じて所定の伝言メールを送信するステップ（Ｓ４７〜Ｓ４９）を有する。
【００１９】
また、本発明による伝言メール送信方法は、内線電話機のキー入力部によって送出される内線電話利用者の識別番号を、発信側の電話機がオンフックされた後に検出するステップ（Ｓ４４）を具備する。
【００２０】
また、本発明によるプログラムは、内線電話利用者のメールアドレスと識別番号との対応表をメモリに格納する手順と、内線電話機のキー入力部によって送出される内線電話利用者の識別番号を検出する手順（Ｓ２４）と、内線電話利用者の識別番号を検出した場合に、メモリを参照して内線電話利用者のメールアドレスを取得し、当該メールアドレス宛てに伝言メールを送信する手順（Ｓ２８）とを、コンピュータに実行させる。
【００２１】
また、本発明によるプログラムは、電話網から通知される発信者電話番号を抽出し、メモリに格納する手順（Ｓ０２）を実行させると共に、伝言メールを送信する手順（Ｓ２８）が、当該発信者電話番号をメモリから読み出して伝言メールに含める手順（Ｓ２７）を有する。
【００２２】
また、本発明によるプログラムは、内線電話機のキー入力部によって送出されるメール種別番号を検出する手順（Ｓ４４）を実行させると共に、伝言メールを送信する手順（Ｓ５０）が、検出されたメール種別番号に応じて所定の伝言メールを送信する手順（Ｓ４７〜Ｓ４９）を有する。
【００２３】
また、本発明によるプログラムは、前記内線電話機のキー入力部によって送出される内線電話利用者の識別番号を、発信側の電話機がオンフックされた後に検出する手順（Ｓ４４）を実行させる。
【００２４】
また、本発明によるＩＰ電話アダプタ（１）は、ＩＰ電話網と接続されるＷＡＮインターフェース回路（１１）と、ＰＢＸと接続されると共に、内線電話機のキー入力部によって送出される内線電話利用者の識別番号を検出する検出回路（２５）を具備するＰＢＸインターフェース回路（２１）と、内線電話利用者のメールアドレスと識別番号との対応表を格納するメモリ（１２）と、内線電話利用者の識別番号を検出した場合に、前記メモリ（１２）を参照して内線電話利用者のメールアドレスを取得し、当該メールアドレス宛てに所定の伝言メールを送信するメール送信部（１０）とを有する。
【００２５】
本発明では、発信者が通話したい相手が不在だとわかり発信者がＯＮ ＨＯＯＫした時、着信応答者（代理応答者）が不在者の内線番号をテンキーから入力するだけで、着信時刻、発信者電話番号が書かれた電子メールを不在者に自動的に送信することができる。従って、発信者電話番号と担当者のメールアドレスの対応表を予め作成する必要がない。また、発信側からの発信者電話番号に対して着信側に複数の担当者がいる場合でも発信者が話をしたい担当者に電子メールの送信が可能である。
【発明の効果】
【００２６】
本発明においては、以下に記載するような効果を奏する。すなわち、本発明の効果は、着信応答者がメモ書きやパソコン操作をすることなく、不在者へ電子メールを自動的に送信し、不在者へ電話があったことを簡単に通知することができることである。その理由はＤＴＭＦ信号で受信した不在者の内線番号をあらかじめ登録されている電子メールアドレスに変換し、自動的に不在者へ電子メールを送信するためである。
【００２７】
また、他の効果は、着信側の内線電話機から送出されるＤＴＭＦ信号を、音声信号として発信者側に伝わらせずに、ＤＴＭＦ信号を利用して自動的に伝言メールを作成することができることであり、その他の効果は、一般着信の場合でも、自動的に伝言メールを作成できることであり、他の効果は、既設のＰＢＸやボタン電話装置を利用したまま不在者へ伝言メールを自動的に送信できることである。
【発明を実施するための最良の形態】
【００２８】
図１に、本発明によるＩＰ電話アダプタの一例を、図２にこのＩＰ電話アダプタの接続形態の一例を示す。図１および図2を参照すると、本発明の一実施例としてのＩＰ電話アダプタ１が示されている。ＩＰ電話アダプタ１は、既に設置されているＰＢＸ４０のアナログ回線局線インターフェースやＩＳＤＮ Ｂａｓｉｃ  Ｒａｔｅ（２Ｂ＋Ｄ）局線インターフェースやＩＳＤＮ Ｐｒｉｍａｒｙ Ｒａｔｅ（２３Ｂ＋Ｄ）局線インターフェースとＩＰ電話網５０との間に接続し、通話料金の安いＩＰ電話網５０との通話を可能にするアダプタである。
【００２９】
図1において、ＷＡＮインターフェース回路１１は、１０ＢＡＳＥ−Ｔ、１００ＢＡＳＥ−ＴＸ等のＥｔｈｅｒｎｅｔ（登録商標）インターフェース回路でありＩＰ電話網５０に接続して発着信用の制御パケット、音声通話パケットを送受信する。
【００３０】
ＰＢＸインターフェース回路２１は、着信信号発生回路２２、ＯＦＦ ＨＯＯＫ検出回路２３、トーン生成回路２４、ＤＴＭＦ検出回路２５、通話回路２６で構成され、その下にＰＢＸのアナログ回線を１回線または 単独電話機を1台接続可能なアナログ電話機の接続回路である。
【００３１】
ＰＢＸインターフェース回路２１を構成する着信信号発生回路２２は、トランス等で昇圧し高電圧な正弦波を生成しＰＢＸや単独電話機に着信を通知する。ＯＦＦ ＨＯＯＫ検出回路２３は、フォトカプラ等により通話電流を監視することにより、ＰＢＸや単独電話機のＯＦＦ ＨＯＯＫを通知する。トーン生成回路２４は、ＤＳＰ等を使用しデジタル音声処理により任意の周波数の正弦波を生成する。ＤＴＭＦ検出回路２５は、ＤＳＰ等のデジタルフィルタ処理によりＰＢＸや単独電話機からのＤＴＭＦ信号を受信及び解析し、受信データとしてマイコン１０に通知する。
【００３２】
なお、ＰＢＸインターフェース回路２１は、ＩＳＤＮ Ｂａｓｉｃ Ｒａｔｅ（２Ｂ＋Ｄ）インターフェースを1回線 または ＩＳＤＮ Ｐｒｉｍａｒｙ Ｒａｔｅ（２３Ｂ＋Ｄ）インターフェースを1回線接続可能なデジタル回線接続回路でも良い。ＰＢＸ側からＩＳＤＮのコマンドを送受信することにより、発信、着信、ＯＦＦ ＨＯＯＫ検出、通話を実現できる。
【００３３】
ＩＰ電話アダプタ１は、ＰＢＸインターフェース回路２１を複数持つことで、ＰＢＸ４０の複数の回線と通話可能になる。すなわち、ＰＢＸインターフェース回路をｎ個設ければ、ｎ個のＰＢＸ端末と通話可能になる。
【００３４】
図１において、時計回路１３は、３２．７６８ｋＨｚ等の発振子をクロックとしたカウンタ回路で構成され、時刻をカウントアップする。図１の例では独立した構成となっているが、マイコン１０に内蔵してもよい。タイマ１４は、カウンタ回路で構成され、そのカウント値から経過時間を得ることができる回路である。マイコン１０に内蔵されている場合が多い。メモリ１２は、マイコン１０により読み書きされ、発信者電話番号や着信時刻を記憶する回路である。マイコン１０は、ＷＡＮインターフェース回路１１、ＰＢＸインターフェース回路２１、時計回路１３、メモリ１２、タイマ１４を制御する回路である。
【００３５】
続いて、図２を参照しながら図１におけるＩＰ電話アダプタ１の接続形態を説明する。図２において、ＩＰ電話アダプタ１は、ルーター３１経由でＩＰ電話網５０に接続されている。ＩＰ電話アダプタ１の右側にはＰＢＸ４０が接続されており、ＰＢＸ４０には内線電話機として複数のＰＢＸ端末４１〜４３が接続されている。
【００３６】
また、ＩＰ電話網５０には、Ｅｔｈｅｒｎｅｔ（登録商標）を直接接続可能なＩＰ電話機５２も接続されている。ＩＰ電話網５０、インターネット網６０に接続されたルーター３１にはＨＵＢ３２が接続され、更にＨＵＢ３２には複数のパソコン６２，６３が接続されている。パソコン６２、６３は、ルーター３１やＨＵＢ３２経由でインターネット網６０へ電子メールを送受信することが可能である。また、インターネット網６０には外出用としてパソコン６１が携帯電話や無線ＬＡＮなどで接続されている。
【００３７】
次に、図１のＩＰ電話アダプタ１の動作を、図4及び５に示すフローチャートによって、図２に示す接続形態については図3のシーケンス図によって、詳細に説明する。
【００３８】
ＩＰ電話網５０にあり発着信制御を行うＩＰ電話サーバー５１はＩＰ電話アダプタ１やＩＰ電話機５２の電話番号とＩＰアドレスの対応表を持っている。今、ＩＰ電話機５２からＰＢＸ端末４１に発信した場合、発信側のＩＰ電話機５２はＩＰ電話サーバー５１に発信者のＩＰアドレス、着信先の電話番号を含んだＩＮＶＩＴＥ信号を送信する。
【００３９】
ＩＰ電話サーバー５１は、ＩＰ電話機５２からのＩＮＶＩＴＥ信号を受信し、ＩＮＶＩＴＥ信号に含まれた発信側のＩＰアドレスと着信先の電話番号を抽出する。そして、ＩＰ電話サーバー５１は、発信側のＩＰアドレスを発信者電話番号へ、着信先の電話番号を着信側ＩＰアドレスへ変換する。ＩＰ電話サーバー５１は、ＩＰ電話機５２からＩＰ電話アダプタ１へ着信通知するため、変換した発信者電話番号と着信側ＩＰアドレスを含んだＩＮＶＩＴＥ信号を着信先のＩＰ電話アダプタ１へ送信する。
【００４０】
ＩＰ電話アダプタ１内のＷＡＮインターフェース回路１１は、ＩＰ電話網５０から受信する制御パケット信号を常に監視している。ＩＰ電話サーバー５１からＩＮＶＩＴＥ信号を受信した場合（Ｓ０１）、マイコン１０は、ＩＮＶＩＴＥ信号内の発信者電話番号を抽出し、メモリ１２に記憶させておく（Ｓ０２）。また、マイコン１０は、時計回路１３から着信時刻を読み出し、メモリ１２に記憶しておく（Ｓ０３）。そして、マイコン１０は、ＰＢＸインターフェース回路２１を制御し、ＰＢＸ４０へ着信信号を送信する（Ｓ０４）。更にマイコン１０は、自身の状態をステータス１８０（Ｒｉｎｇｉｎｇ）としてＩＰ電話サーバー５１に送信する（Ｓ０５）。
【００４１】
ＰＢＸ端末４１へ着信信号が送出された後、マイコン１０は、ＰＢＸインターフェース回路２１のＯＦＦ ＨＯＯＫ検出回路を定期的に監視する（Ｓ０６）。ＰＢＸ端末４１がＯＦＦ ＨＯＯＫしない間、マイコン１０は着信信号の継続がタイマ値以上かを判断して（Ｓ０７）、タイマ値以上になった場合にはＩＰ電話サーバーにＢＹＥ信号を送信し、通信を切断する（Ｓ１１）。
【００４２】
今、ＩＰ電話機５２からＰＢＸ４０側へ発信し、ＰＢＸ端末４１で着信応答した場合、マイコン１０は、ＰＢＸインターフェース回路２１のＯＦＦ ＨＯＯＫ検出回路を定期的に監視しているため、ＰＢＸ端末４１がＯＦＦ ＨＯＯＫしたことを検出する。その後、マイコン１０は、ＰＢＸ端末４１がＯＦＦ ＨＯＯＫしたことを通知するため、ＷＡＮインターフェース回路１１を制御し、ＩＰ電話サーバー５１にステータス２００（ＯＫ）信号を送信する（Ｓ０８）。
【００４３】
ステータス２００（ＯＫ）信号を受信したＩＰ電話サーバー５１は、ＩＰ電話機５２に対してステータス２００（ＯＫ）信号を送信する。ＩＰ電話機５２は、２００（ＯＫ）信号の受信完了を通知するためＡＣＫ信号をＩＰ電話サーバー５１に送信する。ＡＣＫ信号を受信したＩＰ電話サーバー５１は、ＩＰ電話機５２による２００（ＯＫ）信号の受信完了を通知するため、ＡＣＫ信号をＩＰ電話アダプタ１に送信する。
【００４４】
ＩＰ電話アダプタ１のマイコン１０は、ＩＰ電話サーバー５１から返答されるＡＣＫ信号の受信を監視する（Ｓ０９）。そして、マイコン１０は、ＡＣＫ信号の受信待ち時間がタイマ値以上かを判断して（Ｓ１０）、タイマ値以上になった場合には、ＩＰ電話サーバーにＢＹＥ信号を送信し、通信を切断する（Ｓ１１）。
【００４５】
ＩＰ電話アダプタ１がＡＣＫ信号を受信したとき、ＩＰ電話アダプタ１のＷＡＮインターフェース回路１１は、ＩＰ電話サーバー５１からＡＣＫ信号を受信したことをマイコン１０に通知する。そして、マイコン１０はＩＰ電話機５２とＰＢＸ端末４１間の通話パスを確立させるため、ＷＡＮインターフェース回路１１から受信した音声データをＰＢＸインターフェース回路２１に送信し、またＰＢＸインターフェース回路２１から受信した音声データをＷＡＮインターフェース回路１１に送信する（Ｓ１２）。
【００４６】
通話パスが確立されると、ＩＰ電話機５２の発信者はＰＢＸ端末４１の応答者と会話を開始する。会話中、ＩＰ電話アダプタ１のマイコン１０は、ＰＢＸ端末４１のＯＮ  ＨＯＯＫを監視する（Ｓ２０）。そして、ＰＢＸ端末４１側のＯＮ  ＨＯＯＫが先に検出された場合には、ＩＰ電話サーバー５１にＢＹＥ信号を送信し、通話パスを切断する（Ｓ３０）。
【００４７】
一方、ＩＰ電話アダプタ１のマイコン１０は、ＩＰ電話サーバー５１から送信されるＢＹＥ信号を監視する（Ｓ２１）。ＰＢＸ端末４１側のＯＮ  ＨＯＯＫが検出されずに、ＩＰ電話サーバー５１から先にＢＹＥ信号を受信した場合には、ＰＢＸ端末４１にＢＵＳＹ信号を送信して（Ｓ２２）、伝言メール作成のための処理に移行する。
【００４８】
ＩＰ電話アダプタ１のマイコン１０は、ＰＢＸ端末４１のＯＮ  ＨＯＯＫを監視する（Ｓ２３）。もしも、ＰＢＸ端末４１からＤＴＭＦ信号が送出されることなくＰＢＸ端末４１のＯＮ  ＨＯＯＫを検出してしまった場合には、ＩＰ電話アダプタ１は、伝言メール作成処理をせずに、ＩＰ電話サーバーに２００（ＯＫ）信号を送信し、通話パスを切断する（Ｓ２９）。また、ＰＢＸ端末４１から送出されるＤＴＭＦ信号の受信待ち時間がタイマ値以上になった場合にも（Ｓ２５）、ＩＰ電話アダプタ１は、伝言メール作成処理をせずに、ＩＰ電話サーバーに２００（ＯＫ）信号を送信し、通話パスを切断する（Ｓ２９）。
【００４９】
ＩＰ電話機５２の発信者はＰＢＸ端末４１の応答者との会話により、通話したい相手が外出や会議中等で電話に出られないとわかると、折り返し電話するように依頼し、先にＯＮ ＨＯＯＫする。この時、ＩＰ電話機５２はＩＰ電話サーバー５１へＢＹＥ信号を送信する。ＢＹＥ信号を受信したＩＰ電話サーバー５１は、ＩＰ電話機５２のＯＮ ＨＯＯＫを通知するため、ＩＰ電話アダプタ１へＢＹＥ信号を送信する。
【００５０】
ＩＰ電話アダプタ１では、ＩＰ電話サーバー５１から送信されるＢＹＥ信号の受信を監視する（Ｓ２１）。ＷＡＮインターフェース回路１１は、ＩＰ電話サーバー５１からＢＹＥ信号を受信したとき、これをマイコン１０に通知する。マイコン１０はＰＢＸインターフェース回路２１を制御してＰＢＸ端末４１へＢＵＳＹトーンを送信する（Ｓ２２）。
【００５１】
ＢＵＳＹトーンを聞いたＰＢＸ端末４１の代理応答者は、ＰＢＸ端末４１にあるテンキーを操作し、不在者の内線電話番号を入力する。ＰＢＸ端末４１はテンキー入力されたＤＴＭＦ信号をＰＢＸインターフェース回路２１へ送信する。
【００５２】
ＩＰ電話アダプタ１は、ＰＢＸ端末４１から送信されるＤＴＭＦ信号を監視する（Ｓ２４）。ＤＴＭＦ信号が受信された場合、ＰＢＸインターフェース回路２１のＤＴＭＦ検出回路２５は、そのＤＴＭＦ信号を受信および解析し、マイコン１０にＤＴＭＦ受信データとして通知する。マイコン１０は、ＤＴＭＦ検出回路２５から通知されたＤＴＭＦ受信データを不在者の内線電話番号としてメモリ１２に記憶しておく。
【００５３】
ＰＢＸ端末４１の代理応答者は、通話を終了するためＯＮ ＨＯＯＫすると、ＰＢＸインターフェース回路２１のＯＦＦ ＨＯＯＫ検出回路は、マイコン１０へＰＢＸ端末４１がＯＮ ＨＯＯＫしたことを通知する。ＯＮ ＨＯＯＫを認識したマイコン１０は、ＰＢＸ端末４１がＯＮ ＨＯＯＫしたことを通知するため、ＷＡＮインターフェース回路１１を制御して、ＩＰ電話サーバー５１へ２００（ＯＫ）信号を送信する。
【００５４】
表１に示すように、メモリ１２には内線電話番号と電子メールアドレスの対応表が予め登録してある。マイコン１０はメモリ１２を参照し、受信した内線電話番号に対応する不在者の電子メールアドレスを取得する（Ｓ２６）。
【表１】
2008067185.tif 000003
【００５５】
マイコン１０は、着信時に保存した着信時刻、発信者電話番号をメモリ１２から読み出し、不在者の電子メールアドレス宛てに着信時刻、発信者電話番号を付け加えた図６の様な電子メールを作成し（Ｓ２７）、ＷＡＮインターフェース回路１１を制御してインターネット網へ電子メールを送信する（Ｓ２８）。
【００５６】
不在者はインターネット網に接続されたパソコン６１やパソコン６２で電子メールを受信することで、何時に誰から着信があったのかわかる。
【００５７】
次に、本発明の他の実施の形態について説明する。当実施の形態では、その基本的構成は上記の図１及び図２の通りであるが、電子メールの作成方法についてさらに工夫している。そのフローチャートを図４及び7に示す。本例では、特番を用いることにより、予め用意された複数種類の伝言メールの中から任意の伝言メールを選択し、送信する。
【００５８】
まず、ＩＰ電話機５２がＰＢＸ端末４１に発信し、代理応答者が着信したとする。このとき、図４のフローチャートに示すように、ＩＰ電話機５２とＰＢＸ端末４１の通話パスが確立される（Ｓ１２）。ＩＰ電話機５２の発信者はＰＢＸ端末４１の応答者と会話を開始する。
【００５９】
図７に示すように、ＩＰ電話アダプタ１のマイコン１０は、ＰＢＸ端末４１のＯＮ  ＨＯＯＫを監視し（Ｓ４０）、ＰＢＸ端末４１側のＯＮ  ＨＯＯＫが先に検出された場合には、ＩＰ電話サーバー５１にＢＹＥ信号を送信し、通話パスを切断する（Ｓ５２）。
【００６０】
一方、ＩＰ電話アダプタ１のマイコン１０は、ＩＰ電話サーバー５１から送信されるＢＹＥ信号を監視する（Ｓ４１）。ＰＢＸ端末４１側のＯＮ  ＨＯＯＫが検出されずに、ＩＰ電話サーバー５１から先にＢＹＥ信号を受信した場合には、ＰＢＸ端末４１にＢＵＳＹ信号を送信して（Ｓ４２）、伝言メール作成のための処理に移行する。
【００６１】
ＩＰ電話アダプタ１のマイコン１０は、ＰＢＸ端末４１のＯＮ  ＨＯＯＫを監視する（Ｓ４３）。もしも、ＰＢＸ端末４１からＤＴＭＦ信号が送出されることなくＰＢＸ端末４１のＯＮ  ＨＯＯＫを検出してしまった場合には、ＩＰ電話アダプタ１は、伝言メール作成処理をせずに、ＩＰ電話サーバーに２００（ＯＫ）信号を送信し、通話パスを切断する（Ｓ５１）。また、ＰＢＸ端末４１から送出されるＤＴＭＦ信号の受信待ち時間がタイマ値以上になった場合にも（Ｓ４５）、ＩＰ電話アダプタ１は、伝言メール作成処理をせずに、ＩＰ電話サーバーに２００（ＯＫ）信号を送信し、通話パスを切断する（Ｓ５１）。
【００６２】
ここで、ＩＰ電話機５２の発信者が、通話したい相手が不在とわかりＩＰ電話機５２を先にＯＮ ＨＯＯＫしたとする。このとき、ＩＰ電話機５２はＩＰ電話サーバー５１へＢＹＥ信号を送信する。ＢＹＥ信号を受信したＩＰ電話サーバー５１は、ＩＰ電話機５２のＯＮ ＨＯＯＫを知らせるため、ＩＰ電話アダプタ１にＢＹＥ信号を送信する。
【００６３】
ＩＰ電話アダプタ１のＷＡＮインターフェース回路１１は、ＩＰ電話サーバー５１からＢＹＥ信号を受信し（Ｓ４１）、マイコン１０に通知する。マイコン１０は、ＰＢＸインターフェース回路２１を制御してＰＢＸ端末４１へＢＵＳＹトーンを送信する（Ｓ４２）。
【００６４】
ＢＵＳＹトーンを聞いたＰＢＸ端末４１の代理応答者は、１桁の特番に続けて不在者の内線電話番号をＰＢＸ端末４１にあるテンキーで入力する。ＰＢＸ端末４１はテンキー入力されたＤＴＭＦ信号をＰＢＸインターフェース回路２１へ送信する。
【００６５】
ＩＰ電話アダプタ１は、ＰＢＸ端末４１から送信されるＤＴＭＦ信号を監視する（Ｓ４４）。ＤＴＭＦ信号が受信された場合、ＰＢＸインターフェース回路２１のＤＴＭＦ検出回路２５は、ＰＢＸ端末４１から送出されたＤＴＭＦ信号を受信および解析し、マイコン１０にＤＴＭＦ受信データを通知する。
【００６６】
ＩＰ電話アダプタ１のマイコン１０は、ＤＴＭＦ検出回路２５から通知されたＤＴＭＦ受信データの1桁目を特番として、またＤＴＭＦ受信データの2桁目以降を不在者の内線電話番号としてメモリ１２に記憶しておく。
【００６７】
ＰＢＸ端末４１の代理応答者が、通話を終了するためＯＮ ＨＯＯＫすると、ＰＢＸインターフェース回路２１のＯＦＦ ＨＯＯＫ検出回路は、マイコン１０へＰＢＸ端末４１がＯＮ ＨＯＯＫしたことを通知する。ＯＮ ＨＯＯＫを認識したマイコン１０は、ＯＮ ＨＯＯＫしたことを通知するためＷＡＮインターフェース回路１１を制御してＩＰ電話サーバー５１へ２００（ＯＫ）信号を送信する。
【００６８】
メモリ１２には内線電話番号と電子メールアドレスの対応表が予め登録してある。マイコン１０はメモリ１２を読み出し、受信した内線電話番号を、対応する不在者の電子メールアドレスに変換する（Ｓ４６）。
【００６９】
同時に、マイコン１０は、メモリ１２から特番を読み出し、特番が「１」の場合、この「１」に対応する伝言メールを作成する。マイコン１０は、着信時に保存した着信時刻、発信者電話番号をメモリ１２から読み出し、不在者の電子メールアドレス宛てに着信時刻、発信者電話番号に「電話願います。」を付け加えた図６の様な電子メールを作成し、ＷＡＮインターフェース回路１１を制御してインターネット網へ電子メールを送信する。
【００７０】
一方、特番が「１」以外の場合、ＩＰ電話アダプタ１では、この「１」以外に対応する伝言メールを作成する。マイコン１０は、着信時に保存した着信時刻、発信者電話番号をメモリ１２から読み出し、不在者の電子メールアドレス宛てに着信時刻、発信者電話番号に「電話がありました」を付け加えた図８の様な電子メールを作成し、ＷＡＮインターフェース回路１１を制御してインターネット網へ電子メールを送信する。
【００７１】
このように、「特番」を用いることにより、容易な操作で的確なコメントを送出することが出来る。すなわち、ＩＰ電話機５２の発信者が折り返し電話を欲しいと希望している場合には特番の「１」を入力し、ＩＰ電話機５２の発信者が電話があったことを伝えて欲しいと希望している場合には特番の「１」以外を入力することで、的確な伝言メールを作成することができる。
【００７２】
不在者はインターネット網に接続されたパソコン６１やＨＵＢ３２に接続されたパソコン６２、６３や携帯電話等の端末で電子メールを受信することができるので、何時に誰から着信があり、どこに電話を掛ければよいのかがわかる。
【図面の簡単な説明】
【００７３】
【図１】本発明によるＩＰ電話アダプタの一例を示す図
【図２】ＩＰ電話アダプタの接続形態の一例を示す図
【図３】本発明を説明するシーケンス図
【図４】ＩＰ電話アダプタの動作を説明するフローチャート（１）
【図５】ＩＰ電話アダプタの動作を説明するフローチャート（２）
【図６】本発明で作成される電子メールの例
【図７】ＩＰ電話アダプタの動作を説明するフローチャート（２’）
【図８】本発明で作成される電子メールの他の例
【符号の説明】
【００７４】
１  ＩＰ電話アダプタ
１０  マイコン
１１  ＷＡＮインターフェース回路
１２  メモリ
１３  時計
１４  タイマ
２１  ＰＢＸインターフェース回路
２２  着信信号発生回路
２３  ＯＦＦ  ＨＯＯＫ  検出回路
２４  トーン生成回路
２５  ＤＴＭＦ検出回路
２６  通話回路
３１  ルーター
３２  ＨＵＢ
４０  ＰＢＸ
４１〜４３  ＰＢＸ端末
５０  ＩＰ電話網
５１  ＩＰ電話サーバー
５２  ＩＰ電話機
６０  インターネット網
６１〜６３  パソコン
【図１】
2008067185.tif 000004
【図２】
2008067185.tif 000005
【図３】
2008067185.tif 000006
【図４】
2008067185.tif 000007
【図５】
2008067185.tif 000008
【図６】
2008067185.tif 000009
【図７】
2008067185.tif 000010
【図８】
2008067185.tif 000011